(57)【要約】【課題】環境面にも良好で容易に焦点距離を調整することができるスペーサおよびこれを備える画像読取ユニットならびに画像読取装置を提供する。【解決手段】スペーサ２２０は、内部に画像読取に用いる光学系部材を収容したＣＩＳセンサユニットと原稿を載置する原稿台１１３との間に配され、ＣＩＳセンサユニットおよび原稿台１１３間に所定の間隙を形成するスペーサであって、ＣＩＳセンサユニットの原稿台１１３側の端面上で当該ＣＩＳセンサユニットに形成された支持部２３０に対して回動可能に係止される平板部と、この平板部の原稿台１１３側の主面上に、当該原稿台１１３と当接し、かつ平板部の回動に伴って間隙の距離を異ならせる外表面形状で形成された接触部２２４と、を備える。【選択図】図９
2007158487.tif 000002
【特許請求の範囲】
【請求項１】
内部に画像読取に用いる光学系部材を収容した画像読取ユニットと原稿を載置する原稿載置部材との間に配され、前記画像読取ユニットおよび前記原稿載置部材に所定の間隔を形成するスペーサであって、
前記画像読取ユニットの前記原稿載置部材側の端面上で当該画像読取ユニットに形成された支持部に対して回動可能に係止される本体部と、
前記本体部の前記原稿載置部材側の主面上に、当該原稿載置部材と当接し、かつ前記本体部の回動に伴って前記間隔の距離を異ならせる外表面形状で形成された接触部と、
を備えることを特徴とするスペーサ。
【請求項２】
前記本体部の主面における長手方向の端部から前記画像読取ユニットの前記本体部係止側の端面と連続する側端面側に延出し、当該側端面に形成された係止部と係合して前記本体部を前記画像読取ユニットに対する所定の回動位置で係止固定する係止片部をさらに備えることを特徴とする請求項１に記載のスペーサ。
【請求項３】
前記接触部は、前記本体部の主面上に複数形成されていることを特徴とする請求項１または請求項２に記載のスペーサ。
【請求項４】
前記接触部は、前記本体部の前記支持部との当接面からの距離が異なるように突出した複数の頂部を備えていることを特徴とする請求項１〜３のいずれか一つに記載のスペーサ。
【請求項５】
前記本体部は、それぞれ異なる向きに回動可能な複数の分割本体部を連結してなることを特徴とする請求項１〜４のいずれか一つに記載のスペーサ。
【請求項６】
原稿載置部材上に載置された原稿の画像読取に用いる光学系部材を内部に収容した画像読取ユニットであって、
前記画像読取ユニットの前記原稿載置部材側の端面上で当該画像読取ユニットに形成された支持部に対して回動可能に係止される本体部と、当該本体部の前記原稿載置部材側の主面上に、当該原稿載置部材と当接し、かつ前記本体部の回動に伴って前記画像読取ユニットおよび前記原稿載置部材間に形成される所定の間隔の距離を異ならせる外表面形状で形成された接触部と、を有するスペーサを、主走査方向の両端部に備えることを特徴とする画像読取ユニット。
【請求項７】
前記スペーサは、前記本体部の主面における長手方向の端部から前記画像読取ユニットの前記本体部係止側の端面と連続する側端面側に延出し、当該側端面に形成された係止部と係合して前記本体部を前記画像読取ユニットに対する所定の回動位置で係止固定する係止片部をさらに備えることを特徴とする請求項６に記載の画像読取ユニット。
【請求項８】
請求項６または請求項７に記載の画像読取ユニットを備えることを特徴とする画像形成装置。
【発明の詳細な説明】
【技術分野】
【０００１】
本発明は、イメージスキャナ、複写機、ファクシミリ装置などに用いられ、原稿台などの原稿載置部材と画像読取ユニットとの間隔を形成するスペーサおよびこれを備える画像読取ユニットならびに画像形成装置に関し、特に、容易に複数の焦点距離を調整することができるスペーサおよびこれを備える画像読取ユニットならびに画像形成装置に関する。
【背景技術】
【０００２】
従来より、イメージスキャナ、複写機、ファクシミリ装置などに備えられる画像読取ユニットには、たとえば密着型イメージセンサ方式（以下、「ＣＩＳ（Ｃｏｎｔａｃｔ  Ｉｍａｇｅ  Ｓｅｎｓｏｒ）方式」という。）が用いられている（たとえば、下記特許文献１参照。）。
【０００３】
このようなＣＩＳ方式を用いた画像読取ユニットは、通常、ユニット本体部とスペーサとを備えている。ユニット本体部は、内部に照明光源と屈折率分布型レンズアレイ（以下、「ＳＬＡ（Ｓｅｌｆｏｃ  Ｌｅｎｓ  Ａｒｒａｙ）」という）とを備えている。照明光源は、ＲＧＢ各色のＬＥＤを順に原稿に照射する。ＳＬＡは、筒状に形成された筒部の内面に受光素子を備えており、筒部が直線上に並べられて構成されている。このＳＬＡは、照明光源が原稿に向かって照射することで、原稿から反射した反射光を受光素子上に結像させる。
【０００４】
一方、スペーサは、ユニット本体部と原稿を載置する原稿載置部材との間に配されている。なお、原稿載置部材は、たとえばガラスなどの投光性を有する材料からなり、板状に形成されている。この原稿載置部材は、画像形成装置のフレームに取り付けられて固定されている。そして、スペーサは、ユニット本体部と原稿載置部材との間に挟まれることで、照明光源と原稿との距離を保持する。
【０００５】
前述した画像読取ユニットでは、ＲＧＢ各色のＬＥＤを照明光源として、各色を順に原稿に照射し、反射光を直線上に並べられたＳＬＡにより受光素子上に結像させ、このＳＬＡに結像された結像光束を光電変換して画像読み取り信号として出力するようになっている。
【０００６】
このように構成された画像読取ユニットは、たとえばユニット本体部に取り付けられたスペーサを原稿載置部材に当接させながら、ユニット本体部と原稿載置部材との間に所定の間隔を形成したまま原稿載置部材の表面に沿って摺動させることで、筒部が直線上に並べられて構成されたＳＬＡの受光素子が、順々に原稿の画像情報を読み取る。
【０００７】
【特許文献１】特開２００４−５３６５０号公報
【発明の開示】
【発明が解決しようとする課題】
【０００８】
しかしながら、従来のＣＩＳ方式の画像読取ユニットは、焦点深度が浅いために、原稿面と受光素子との寸法精度が出ていないと読み取り画像がピンボケしやすいという問題があった。
【０００９】
このため、原稿と受光素子、すなわち画像読取ユニットとの高さを変えて、所定の間隔の距離を変更し焦点距離を調整するときには、それぞれ異なる間隔を形成するように製造された様々なスペーサをその都度付け替える作業が生じていた。これにより、焦点距離の調整作業が繁雑となり容易に焦点距離を調整することができないという問題がある。また、製造した様々なスペーサのうち、実際に使用するスペーサは限られるため、材料などの無駄が多くなり環境面にも影響があるという問題がある。
【００１０】
この発明は、上記課題を解決するためになされたものであって、環境面にも良好で容易に焦点距離を調整することができるスペーサおよびこれを備える画像読取ユニットならびに画像読取装置を提供することを目的とする。
【課題を解決するための手段】
【００１１】
上記課題を解決し、目的を達成するため、この発明にかかるスペーサは、内部に画像読取に用いる光学系部材を収容した画像読取ユニットと原稿を載置する原稿載置部材との間に配され、前記画像読取ユニットおよび前記原稿載置部材に所定の間隔を形成するスペーサであって、前記画像読取ユニットの前記原稿載置部材側の端面上で当該画像読取ユニットに形成された支持部に対して回動可能に係止される本体部と、前記本体部の前記原稿載置部材側の主面上に、当該原稿載置部材と当接し、かつ前記本体部の回動に伴って前記間隔の距離を異ならせる外表面形状で形成された接触部と、を備えることを特徴とする。
【００１２】
この発明のスペーサによれば、原稿載置部材に当接する接触部の外表面形状が、画像読取ユニットに対して本体部を中心に回動させることによって、画像読取ユニットおよび原稿載置部材間の間隔の距離が異なるように形成されているため、画像読取ユニットと原稿載置部材との間隔を種々に調整することができる。このため、容易にセンサの焦点距離を調整することができる。また、一つのスペーサによって、焦点距離を複数調整することができるので、スペーサの取り替えを不要とし、不要なスペーサを減らして無駄な材料を削減でき、環境面においても十分に配慮することが可能となる。
【００１３】
また、この発明にかかるスペーサは、前記本体部の主面における長手方向の端部から前記画像読取ユニットの前記本体部係止側の端面と連続する側端面側に延出し、当該側端面に形成された係止部と係合して前記本体部を前記画像読取ユニットに対する所定の回動位置で係止固定する係止片部をさらに備えることを特徴とする。
【００１４】
このため、本体部を回動した場合に、係止片部によって画像読取ユニットの支持部に対するその回動位置を確実に係止固定することができる。これにより、接触部によって形成された画像読取ユニット及び原稿載置部材間の間隔をより確実に一定に保つことができる。
【００１５】
また、この発明にかかるスペーサの前記接触部は、前記本体部の主面上に複数形成されていることを特徴とする。
【００１６】
このため、接触部と原稿載置部材との当接面積を広くとることができ、接触圧も分散することができるため、接触部の耐久性を向上させることができる。
【００１７】
また、この発明にかかるスペーサの前記接触部は、前記本体部の前記支持部との当接面からの距離が異なるように突出した複数の頂部を備えていることを特徴とする。
【００１８】
このため、本体部を回動させて、原稿載置部材に当接する頂部をそれぞれ変えることで、画像読取ユニットと原稿載置部材間との間隔の距離を様々に変えることができる。
【００１９】
また、この発明にかかるスペーサの本体部は、それぞれ異なる向きに回動可能な複数の分割本体部を連結してなることを特徴とする。
【００２０】
このため、それぞれの分割本体部に形成された接触部を原稿載置部材と当接して、画像読取ユニットと原稿載置部材間との間隔の距離を、画像読取ユニットと原稿載置部材側の端面上で多様に変更することができる。これにより、画像読取ユニットの焦点距離を一つのスペーサで異ならせることが可能となる。
【００２１】
また、この発明にかかる画像読取ユニットは、原稿載置部材上に載置された原稿の画像読取に用いる光学系部材を内部に収容した画像読取ユニットであって、前記画像読取ユニットの前記原稿載置部材側の端面上で当該画像読取ユニットに形成された支持部に対して回動可能に係止される本体部と、当該本体部の前記原稿載置部材側の主面上に、当該原稿載置部材と当接し、かつ前記本体部の回動に伴って前記画像読取ユニットおよび前記原稿載置部材間に形成される所定の間隔の距離を異ならせる外表面形状で形成された接触部と、を有するスペーサを、主走査方向の両端部に備えることを特徴とする。
【００２２】
この発明の画像読取ユニットによれば、主走査方向の両端部に設けられたスペーサの接触部の外表面形状が、画像読取ユニットに対して本体部を中心に回動させることにより、画像読取ユニットおよび原稿載置部材間の間隔の距離を異なられるように形成されているため、原稿載置部材との間隔を種ヶに変更することができる。このため、容易にセンサの焦点距離を調整することができる。また、単体のスペーサによって、焦点距離を複数調整することができるので、スペーサの取り替えを不要とし、不要なスペーサを減らして無駄な材料を削減でき、環境面においても十分に配慮することが可能となる。
【００２３】
また、この発明にかかる画像読取ユニットの前記スペーサは、前記本体部の主面における長手方向の端部から前記画像読取ユニットの前記本体部係止側の端面と連続する側端面側に延出し、当該側端面に形成された係止部と係合して前記本体部を前記画像読取ユニットに対する所定の回動位置で係止固定する係止片部をさらに備えることを特徴とする。
【００２４】
このため、スペーサの本体部を回動した場合に、係止片部によって画像読取ユニットの支持部に対するその回動位置を確実に係止固定することができ、接触部によって形成された画像読取ユニットおよび原稿載置部材間の間隔をより確実に一定に保つことができる。
【００２５】
また、この発明にかかる画像形成装置は、上記に記載の画像読取ユニットが備えることを特徴とする。
【００２６】
この発明の画像読取装置によれば、上述した画像読取ユニットにより実現される各種効果を実現することができる。
【発明を実施するための最良の形態】
【００２７】
以下に添付図面を参照して、本発明にかかるスペーサおよびこれを備える画像読取ニットならびに画像形成装置の好適な実施の形態を詳細に説明する。以下、この実施の形態では、本発明にかかるスペーサおよびこれを備える画像読取ユニットを備えた、たとえば画像形成装置としてのスキャナ機能および印刷出力装置としての印刷機能を有する複合した複合機を例に説明する。
【００２８】
（実施の形態１）
図１は、本発明の実施の形態１にかかる複合機の外観を示す斜視図である。この複合機１００は、図１に示すように、スキャナ部１１０と、プリンタ部１２０と、操作パネル１５０と、を備えている。
【００２９】
図２は、この実施の形態１にかかる複合機の側断面図である。スキャナ部１１０は、図２に示すように、スキャナケース１１１と、原稿カバー１１２と、原稿載置部材としての原稿台１１３と、キャリッジガイド１１４と、スキャナキャリッジ１１５と、を備えている。
【００３０】
図３は、複合機のスキャナ部を示す縦断面図である。スキャナケース１１１は、アッパーケース１１６と、ロアケース１１７と、を備え、箱状に形成されている。アッパーケース１１６の上部には、外側開口した開口部（図示せず）が備えられている。スキャナケース１１１は、内部にキャリッジガイド１１４と、スキャナキャリッジ１１５とを格納する。スキャナケース１１１は、ヒンジ（図示せず）により開閉可能に後述するプリンタ部１２０のプリンタケース１２１に対して連結されている。
【００３１】
図２に示すように、原稿カバー１１２は、蓋状に形成されており、後述する原稿台１１３に載置された原稿に向かって、ヒンジ（図示せず）を中心に折り曲げられて、原稿を覆う。原稿カバー１１２の原稿側の面には、後述する原稿台１１３とほぼ同じ大きさの板状の保護マット（図示せず）が備えられている。原稿カバー１１２は、図示しないヒンジにより開閉可能にスキャナケース１１１に連結されている。
【００３２】
原稿台１１３は、光学的に透明なガラス材などからなり、板状に形成されている。原稿台１１３は、前述したスキャナケース１１１に設けられた開口部(図示せず)を閉塞するように取り付けられて固定されている。原稿台１１３には、ユーザによって、電子データ化するためのデータが記載された原稿が載置される。
【００３３】
キャリッジガイド１１４は、図３に示すように、棒状に形成されている。キャリッジガイド１１４は、副走査方向に沿って延びている。キャリッジガイド１１４は、スキャナケース１１１に固定されている。
【００３４】
スキャナキャリッジ１１５は、キャリッジガイド１１４に支持されるとともに、箱状に形成され、内部に画像読取ユニットとしてのＣＩＳセンサユニット２００を搭載している。ＣＩＳセンサユニット２００は、弾性材料からなるバネ１１８を介してスキャナキャリッジ１１５に取り付けられている。バネ１１８は、ＣＩＳセンサユニット２００をスキャナキャリッジ１１５から離れる方向に向かって付勢する。ＣＩＳセンサユニット２００の詳細な構成は、後ほど説明する。ＣＩＳセンサユニット２００は、原稿に記載された図形、テキスト、写真などのデータを読み取り、それぞれのデータに対応する形式の電子データを生成する。
【００３５】
また、スキャナキャリッジ１１５は、例えば、モータおよびモータによって駆動されるベルトに係止されている。そして、スキャナキャリッジ１１５は、モータの回転に伴って、ベルトを介して前述したキャリッジガイド１１４に支持されながら副走査方向（以下、図中矢印Ｘで示す方向）に沿って往復移動する。
【００３６】
図２に戻り、プリンタ部１２０は、複合機１００とネットワークを介して接続されたＰＣ（パーソナルコンピュータ）などから送信された電子データに対応したデータを用紙に印刷する。プリンタ部１２０は、プリンタケース１２１と、ＡＳＦユニット１３０と、印刷機構部１４０（図４参照）と、を備えている。
【００３７】
プリンタケース１２１は、箱状に形成されるとともに、上部が開口した開口部１２１Ａを備え、データを用紙に印刷するための各部材を内部に格納している。プリンタケース１２１は、背面側に形成された前述したヒンジ（図示せず）を介して前述したスキャナケース１１１が、開口部１２１Ａに重ねられるとともに、開閉可能に連結されている。プリンタケース１２１の開口部１２１Ａは、スキャナケース１１１の内部に格納された各部材をメンテナンスする際に、スキャナケース１１１を上方に開放させることで露出される。
【００３８】
ＡＳＦユニット１３０は、給紙ローラ１３１と、紙支持板１３２と、給紙板１３４と、を備えている。給紙ローラ１３１は、給紙口１３０Ａの近傍に設けられ、給紙方向に回転可能にプリンタケース１２１に軸支されている。給紙ローラ１３１は、図示しないモータなどにより軸心周りに回転する。給紙ローラ１３１は、給紙板から送り出された用紙を給紙口１３０Ａからプリンタケース１２１の内部に引き込み、後述する印刷ヘッド１４４とプラテン１４５との間に搬送する。
【００３９】
紙支持板１３２は、板状に形成されるとともに、給紙板１３４の上方に配されている。紙支持板１３２は、紙支持板１３２の下端に形成されたヒンジによって給紙板１３４の上端に開閉可能に連結されている。紙支持板１３２は、図２に示すように、給紙する際には、前面が開放された状態で、給紙板１３４の前面の傾斜角度と紙支持板１３２の前面の傾斜角度とが一致する位置に係止される。紙支持板１３２は、用紙束１２２の背面を支持する。
【００４０】
紙支持板１３２は、給紙しない時には、紙支持板１３２の下端に形成されたヒンジを軸にして、複合機１００の正面側に向かって折り畳むことができる。このように折り畳まれた紙支持板１３２は、紙支持板１３２の上方の前面が、原稿カバー１１２と当接することによって係止され、これによって、給紙口１３０Ａにつながる空間が閉塞される。給紙板１３４は、用紙束１２２を給紙口１３０Ａに供給できる位置に設けられた板状の部材であり、用紙束１２２を保持する。給紙板１３４は、図示しないモータなどの回転に伴って揺動し、用紙束１２２の下端を給紙口１３０Ａ側に押し出すことによって、給紙口１３０Ａに用紙を滑り落とす。
【００４１】
図４は、複合機のＡＳＦユニットおよび印刷機構部を示す側断面図である。印刷機構部１４０は、図４に示すように、プリンタキャリッジ１４１と、インクカートリッジ１４２と、ガイドロッド１４３と、印刷ヘッド１４４と、プラテン１４５と、排紙ローラ１４６と、スタッカ１４７、などを備えている。プリンタキャリッジ１４１は、内部にインクカートリッジ１４２を脱着自在に格納する。プリンタキャリッジ１４１は、図示しないモータなどにより駆動されるベルトによって係止されており、モータの回転に伴って、ベルトを介してガイドロッド１４３に支持されながらガイドロッド１４３の軸方向に往復移動する。
【００４２】
インクカードリッジ１４２は、各色のインクが貯蔵された容器であり、プリンタキャリッジ１４１に脱着自在に格納される。インクカードリッジ１４２に貯蔵されたインクは、インク通路を通じて、印刷ヘッド１４４のノズルに供給される。
【００４３】
ガイドロッド１４３は、棒状に形成されるとともに、前述したプリンタケース１２１に固定されている。ガイドロッド１４３は、プリンタキャリッジ１４１を複合機１００の横幅方向に沿って摺動自在に支持する。
【００４４】
印刷ヘッド１４４は、プリンタキャリッジ１４１の下方に設けられ、インクジェット方式によりインクカートリッジ１４２から供給されたインクを用紙に定着させる。印刷ヘッド１４４には、インクを排出するノズルおよびインク通路などが備えられている。印刷ヘッド１４４は、プリンタキャリッジ１４１とともにガイドロッド１４３の軸方向に往復動する。なお、本実施の形態においては、インクジェット方式の印刷手段を用いているが、レーザ方式、昇華方式、インパクト方式などを用いてもよい。
【００４５】
プラテン１４５は、印刷ヘッド１４４の下方に設けられ、上方に平面を有する棒状の部材であり、プリンタケース１２１に固定されている。プラテン１４５の上方に形成された平面は、印刷用紙に摺接し、印刷ヘッド１４４から下方にわずかに離れた位置に印刷用紙を位置決めする。
【００４６】
排紙ローラ１４６は、排紙口１４０Ａの近傍において排紙方向に回転可能に設けられている。排紙ローラ１４６は、印刷機構部１４０に設けられたモータなどの駆動により回転することによって、印刷が行われた用紙を引き出し、排紙口１４０Ａからプリンタケース１２１の外部に排出する。排紙ローラ１４６によってプリンタケース１２１の外部に排出された用紙は、プリンタケース１２１に揺動自在に支持されたスタッカ１４７の上面に堆積される。
【００４７】
操作パネル１５０（図１参照）は、プリンタケース１２１の正面側に設けられており、ユーザによって処理されることによって、複合機１００に対する画像読み取り処理、印刷処理などの各種の処理装置を受け付ける。操作パネル１５０には、液晶パネル１５１、複数の押しボタン１５２などが設けられている。液晶パネル１５１には、設定メニュー、操作メニュー、処理状況などが表示される。ユーザは処理要求に応じた押しボタン１５２を押すことによって、複合機１００に対して処理を要求する。
【００４８】
図５は、スキャナ部のＣＩＳセンサユニットを示す拡大斜視図である。図５に示すように、ＣＩＳセンサユニット２００は、画像読取ユニットであるユニット本体部２１０と一対のスペーサ２２０とを備えている。
【００４９】
ユニット本体部２１０は、ＣＩＳセンサ基部２１１と、光源２１２と、導光板２１３と、ＳＬＡ２１４と、を備えている。ＣＩＳセンサ基部２１１は、たとえば直方体をなして形成されている。ＣＩＳセンサ基部２１１は、長手方向が前述した副走査方向（図中矢印Ｘ方向）と交差した主走査方向（以下、図中矢印Ｙで示す方向）と平行な状態に配される。
【００５０】
図６は、ＣＩＳセンサユニットのセンサ基部を示す一部拡大斜視図である。ＣＩＳセンサ基部２１１の側端面には、図６に示すように、スペーサ２２０の係止片部である後述する立設部に形成された挿入突起と係合する係止部としての挿入穴２１５が複数設けられている。挿入穴２１５は、ＣＩＳセンサ基部２１１の側端面から内側へ凹む凹状に形成されている。なお、挿入穴２１５の断面形状は、たとえば円形に形成されている。これら挿入穴２１５は、ＣＩＳセンサ基部２１１の両側端面側すなわち原稿台１１３側の端面と連続する側端面に設けられている。挿入穴２１５は、後述する支持部２３０に対して円弧状に並べられて配されている。
【００５１】
光源２１２は、ＣＩＳセンサ基部２１１の表面に設けられており、ＲＧＢ各色を順に後述する導光板２１３に向けて照射する。導光板２１３は、ＣＩＳセンサ基部２１１の表面に設けられており、前述した図中矢印Ｘ方向に沿って延びている。導光板２１３は、光源２１２からの光を、拡散させるとともに、原稿台１１３に載置された原稿に向かって導く。ＳＬＡ２１４は、筒状に形成された筒部の内面に受光素子を備えており、筒部が直線上に並べられて構成されている。ＳＬＡ２１４は、光源２１２から導光板２１３を介して原稿に照射された原稿からの反射光を受光素子上に結像させる。
【００５２】
図７は、スペーサを示す正面図である。スペーサ２２０は、図７に示すように、本体部である平板部２２１と、係止片部である一対の立設部２２２と、一対の挿入突起２２３と、一対の接触部２２４と、を備えている。平板部２２１は、平面形状が矩形状に形成されている。平板部２２１には、樋状に形成された係止凹部２３２が備えられている。係止凹部２３２は、平板部２２１の長手方向（図中矢印Ｘ方向）に沿って延びている。立設部２２２は、板状に形成され、たとえば平板部２２１の長手方向の両端部からそれぞれ所定長さを有して延出され形成されている。挿入突起２２３は、一対の立設部２２２の平板部２２１から離れた端部（自由端）にそれぞれ対向する状態で突出形成されている。これら挿入突起２２３は、前述した挿入穴２１５と係合される。
【００５３】
図８は、スペーサを示す平面図である。接触部２２４は、平板部２２１の立設部２２２が設けられた面とは逆側の外表面（上面）にそれぞれ設けられている。接触部２２４は、外表面がほぼ楕円体の形状を有して湾曲形成されている。接触部２２４は、図８に示すように、接触部２２４の外表面から複数突出した頂部２２５〜２２７を備えている。頂部２２５〜２２７は、それぞれ前述した図中矢印Ｘ方向と交差した図中矢印Ｙ方向に沿って並べられている。頂部２２５〜２２７は、平板部２２１の回動位置によって、前述した原稿台１１３の外表面（下面、あるいは原稿が載置される面と反対の面）とそれぞれ当接する。頂部２２５〜２２７は、スキャナキャリッジ１１５が図中矢印Ｘ方向に沿って往復動する際に、原稿台１１３の外表面を摺動する。
【００５４】
図９は、ユニット本体部と原稿台とがスペーサを介して当接した様子を示す断面図である。スペーサ２２０は、ユニット本体部２１０に対して、図９に示すように、互いを係止する支持部２３０を介して取り付けられている。支持部２３０は、ユニット本体部２１０のＣＩＳセンサ基部２１１に設けられた支持本体部２３１と、スペーサ２２０の平板部２２１の当接面２３３と当接する支持面２３２と、を備えて構成されている。
【００５５】
支持本体部２３１は、たとえばＣＩＳセンサ基部２１１の図中矢印Ｙ方向の両端部近傍に設けられている。支持本体部２３１は、ＣＩＳセンサ基部２１１の外表面から凹状に凹むように形成された、ＣＩＳセンサ基部２１１の長手方向に沿って交差する方向に伸びた一対の溝に挟まれて凸状をなしている。この支持本体部２３１は、ＣＩＳセンサ基部２１１の外表面から突出するように形成されていてもよい。支持本体部２３１は、断面形状がＣＩＳセンサ基部２１１の表面から離れる方向（上方向）にしたがって徐々に幅が狭くなるよに、すなわち一対の溝との連続面が傾斜状のテーパ面となるように形成されている。
【００５６】
また、支持本体部２３１の支持面２３２は、ＣＩＳセンサ基部２１１の外表面と平行となるように形成されている。この支持面２３２は、ＣＩＳセンサ基部２１１の長手方向（図中矢印Ｙ方向）と交差する方向（図中矢印Ｘ方向）に沿って延びている。スペーサ２２０の平板部２２１の当接面２３３は、この支持面２３２と密着する状態で当接する。
【００５７】
前述したスペーサ２２０の当接面２３３は、平板部２２１の外表面から凹状に凹むように形成されており、断面形状が平板部２２１の外表面に近づくにしたがって徐々に幅が広くなるように形成されている。
【００５８】
当接面２３３は、前述した支持面２３２とほぼ同じ幅で、かつ平板部２２１の長手方向（図中矢印Ｘ方向）に沿って伸びた平坦面２３４，２３５，２３６を備えて構成されている。これら平坦面２３４〜２３６は、平坦面２３４の端部と平坦面２３５の一方の端部とが連結され、平坦面２３５の他方の端部と平坦面２３６の端部とが連結されている。平坦面２３４〜２３６は、その面がそれぞれ互いに鈍角で交差するような形状で形成されている。
【００５９】
また、平坦面２３４から頂部２２５までの距離Ａと、平坦面２３５から頂部２２６までの距離Ｂと、平坦面２３６から頂部２２７までの距離Ｃとは互いに異なるように形成されている。これらの距離Ａ〜Ｃが、たとえば±０．２ｍｍずつ異なるように形成されている。
【００６０】
前述した構成の支持部２３０と当接面２３３とが、すなわち支持面２３２と各平坦面２３４〜２３６とが、互いに係止することで、ユニット本体部２１０にスペーサ２２０が所定の回動位置で係止した状態で取り付けられる。そして、後述するスペーサ２２０の回動によって、支持面２３３に対して、平坦面２３４〜２３６のうちいずれかが当接する。各頂部２２５〜２２７と各平坦面２３４〜２３６との間の距離Ａ〜Ｃはそれぞれ異なるため、スペーサ２２０の回動位置によって原稿台１１３とＣＩＳセンサユニット２００との間隔の距離が決められる。
【００６１】
図１０は、スペーサが支持部を中心に回動した状態を示す断面図である。前述したユニット本体部２１０の両端部近傍に取り付けられたスペーサ２２０を、それぞれ支持部２３０を中心に回動させる際には、図９に示すように、たとえば支持面２３２と平坦面２３５とが当接する状態から、図１０に示すように、支持面２３２と平坦面２３４とが当接する状態に、あるいは、図示は省略するが、支持面２３２と平坦面２３６とが当接する状態に、それぞれユニット本体部２１０に対してスペーサ２２０を支持部２３０を中心に回動させる。
【００６２】
そして、立設部２２２の挿入突起２２３とユニット本体部２１０の挿入穴２１５とを嵌合させて係止固定することで、スペーサ２２０がユニット本体部２１０に確実に固定されるので、原稿台１１３とＣＩＳセンサユニット２００との間隔の距離を決定して、焦点距離を容易に変更しつつ確実に合わせることができる。また、スペーサ２２０は平板部２２１の両端側が、一対の立設部２２２によってユニット本体部２１０に対して係止固定され支持されるので、摺動する際にも移動してしまうことなくユニット本体部２１０に対して確実に位置決めすることができる。
【００６３】
なお、図９に示した状態から図１０に示した状態へと、スペーサ２２０を回動させると、支持面２３２から原稿台１１３までの間隔の距離が、距離Ｂから距離Ａへと変わる。すなわち、原稿台１１３からユニット本体部２１０のＣＩＳセンサ基部２１１までの高さが変わり、結果的にＣＩＳセンサユニット２００との距離を変えることが可能とする。
【００６４】
以上説明したように、本実施の形態１にかかる複合機によれば、原稿台１１３に当接するスペーサ２２０を、ＣＩＳセンサユニット２００のユニット本体部２１０に対して支持部２３０を中心に回動させることにより、支持部２３０から接触部２２４の外表面までの距離を変更することができるので、原稿台１１３とＣＩＳセンサユニット２００との間隔を調整することができる。このため、容易にセンサの焦点距離を調整することができるとともに、単体のスペーサ２２０で様々な焦点距離を調整できるので、スペーサの取り替えを不要とし、不要なスペーサを減らして無駄な材料を削減し、環境面に十分に配慮することが可能となる。
【００６５】
次に、本発明の実施の形態２にかかるスペーサおよびこれを備える画像読取ユニットの構成を、図１１〜図１４を参照して説明する。なお、前述した実施の形態１と同一構成部分には、同一符号を付して重複する説明を省略する。
【００６６】
（実施の形態２）
図１１は、本発明の実施の形態２にかかる画像読取ユニットとしてのＣＩＳセンサユニットを示す正面図である。図１２は、ＣＩＳセンサユニットを示す平面図である。本実施の形態２では、スペーサ２２０が、図１１に示すように、接触部３０５を備えた第１の分割本体部３０３と、接触部３０６を備えた第２の分割本体部３０４と、を有している点が、実施の形態１とは相違している。また、ユニット本体部２１０のＣＩＳセンサ基部２１１が、図１２に示すように、透過射原稿用ＳＬＡ３０１と、反射原稿用ＳＬＡ３０２と、を備えている点が、実施の形態１とは相違している。なお、たとえば透過射原稿用ＳＬＡ３０１と、反射原稿用ＳＬＡ３０２とは、前述した図中矢印Ｘ方向に沿って並べられている。
【００６７】
図１３は、スペーサを示す正面図である。スペーサ２２０は、図１３に示すように、接触部３０５が設けられた第１の分割本体部３０３側の平板部３０７と、接触部３０６が設けられた第２の分割本体部３０４側の平板部３０８と、を備えている。
【００６８】
また、平板部３０７は圧入凹部３０９を備えており、平板部３０８は圧入凸部３１０を備えている。圧入凹部３０９は、平板部３０７の平板部３０８との圧入側の端部に設けられおり、平板部３０７のその端部表面から凹状に凹んだ形状で形成されている。圧入凸部３１０は、平板部３０８の平板部３０７との圧入側の端部に設けられおり、平板部３０８のその端部表面から凸状に突出した形状で形成されている。
【００６９】
図１４は、スペーサの第１の分割本体部と第２の分割本体部とを圧入する様子を説明するための正面図である。圧入凹部３０９と圧入凸部３１０とは、図１４に示されるように、平板部３０７と平板部３０８とを互いに近づけて、圧入凹部３０９内に圧入凸部３１０が所定の圧力によって圧入されるように加圧しながら嵌合させると、平板部３０７と平板部３０８とを互いに回動可能な状態で連結するように完全嵌合される。
【００７０】
また、第１の分割本体部３０３の接触部３０５は、頂部３１１を備えている。さらに、第２の分割本体部３０４の接触部３０６は、頂部３１２を備えている。これら接触部３０５と接触部３０６とは、原稿台１１３とＣＩＳセンサユニット２００との間隙を変更することができるように異なる形状に形成されている。接触部３０５は、たとえば透過原稿用ＳＬＡ３０１に求められる間隙を形成することができる形状に形成され、接触部３０６は、反射原稿用ＳＬＡ３０２に求められる間隙を形成することができる形状に形成されている。
【００７１】
本実施の形態２によれば、第１の分割本体部３０３および第２の分割本体部３０４をそれぞれ異なる向きに回動させることによって、第１の分割本体部３０３の接触部３０５と、第２の分割本体部３０４の接触部３０６との高さを各ＳＬＡ３０１，３０２ごとに対応するように変えることができるので、前述した図中矢印Ｘ方向に沿った方向における焦点距離が異なるＣＩＳセンサユニット２００に対しても適用することができる。
【００７２】
図１５は、スペーサの変形例を示す断面図である。前述した実施の形態１および実施の形態２では、接触部２２４，３０５，３０６の頂部２２５〜２２７，３１１，３１２が、それぞれ接触部２２４，３０５，３０６の表面から突出するように形成されていた。しかし、この変形例では、図１５に示すように、たとえば接触部２２４の表面が、頂部２２５〜２２７同士が滑らかに連結された形状で形成されていてもよい。このように形成すれば、頂部２２５〜２２７と原稿台１１３との接触する面積が大きくなるので、頂部２２５〜２２７における面圧を下げることができ、頂部２２５〜２２７の摩耗に対する耐久性を向上させることができる。
【００７３】
また、前述した実施の形態１および実施の形態２においては、挿入穴２１５がユニット本体部２１０に設けられ、挿入突起２２３がスペーサ２２０に設けられていたがたとえば挿入穴２１５がスペーサ２２０に設けられ、挿入突起２２３が本体部２１０に設けられていてもよい。なお、スペーサ２２０の立設部２２２とユニット本体部２１０との係止は、上記挿入穴２１５や挿入突起２２３に限られるものではなく、その他種々の態様で係合し係止する構造であれば適用可能である。
【００７４】
また、前述した実施の形態１および実施の形態２のユニット本体部２１０に設けられた挿入穴２１５は、断面形状が円形に形成され、立設部２２２に設けられた挿入突起２２３は、同様に円形に形成されていたが、たとえば挿入穴２１５の断面形状が、三角形や四角形に形成され、挿入突起２２３の形状がこれらに合わせて形成されていてもよい。このように形成されれば、スペーサ２２０のユニット本体部２１０に対する係止位置をさらに確実に決めることができる。
【００７５】
なお、前述した各実施の形態は本発明の代表的な形態を示したに過ぎず、本発明は、上記各実施の形態に限定されるものではない。即ち、本発明の要旨を逸脱しない範囲で種々変形して実施することが可能である。
【図面の簡単な説明】
【００７６】
【図１】実施の形態１にかかる複合機の外観を示す斜視図。
【図２】複合機の側断面図。
【図３】複合機のスキャナ部を示す縦断面図。
【図４】複合機のＡＳＦユニットおよび印刷機構部を示す側断面図。
【図５】スキャナ部のＣＩＳセンサユニットを示す拡大斜視図。
【図６】ＣＩＳセンサユニットのセンサ基部を示す一部拡大斜視図。
【図７】スペーサを示す正面図。
【図８】スペーサを示す平面図。
【図９】ユニット本体部と原稿台とが当接した状態を示す断面図。
【図１０】スペーサが支持部を中心に回動した状態を示す断面図。
【図１１】実施の形態２にかかるＣＩＳセンサユニットを示す正面図。
【図１２】ＣＩＳセンサユニットを示す平面図。
【図１３】スペーサを示す正面図。
【図１４】第１の分割本体部と第２の分割本体部との圧入の様子を示す正面図。
【図１５】スペーサの変形例を示す断面図。
【符号の説明】
【００７７】
１００  複合機（画像形成装置）、１１３  原稿台（原稿載置部材）、２１０  ユニット本体部（画像読取ユニット）、２１５  挿入穴（係止部）、２２０  スペーサ、２２１  平板部（本体部）、２２２  立設部（係止片部）、２２４，３０５，３０６  接触部、２２５，２２６，２２７，３１１，３１２  頂部、２３０  支持部、２３１  支持本体部、２３２  支持面、２３３  当接面、２３４〜２３６平坦面、３０３  第１の分割本体部、３０４  第２の分割本体部
【図１】
2007158487.tif 000003
【図２】
2007158487.tif 000004
【図３】
2007158487.tif 000005
【図４】
2007158487.tif 000006
【図５】
2007158487.tif 000007
【図６】
2007158487.tif 000008
【図７】
2007158487.tif 000009
【図８】
2007158487.tif 000010
【図９】
2007158487.tif 000011
【図１０】
2007158487.tif 000012
【図１１】
2007158487.tif 000013
【図１２】
2007158487.tif 000014
【図１３】
2007158487.tif 000015
【図１４】
2007158487.tif 000016
【図１５】
2007158487.tif 000017